【手続補正書】
【提出日】平成30年12月19日(2018.12.19)
【手続補正１】
【補正対象書類名】明細書
【補正対象項目名】発明の名称
【補正方法】変更
【補正の内容】
【発明の名称】乗員検知センサー及び車両用シート
【手続補正２】
【補正対象書類名】明細書
【補正対象項目名】０００１
【補正方法】変更
【補正の内容】
【０００１】
本発明は、乗員検知センサー及び車両用シートに関する。
【手続補正３】
【補正対象書類名】明細書
【補正対象項目名】０００５
【補正方法】変更
【補正の内容】
【０００５】
本発明は、乗員検知センサー及び車両用シートを提供することを目的とする。
【手続補正４】
【補正対象書類名】明細書
【補正対象項目名】０００６
【補正方法】変更
【補正の内容】
【０００６】
以上の課題を解決するため、請求項１に記載の発明は、
乗員の荷重がかかったことを検知するためのセンサーと、
前記センサーをシートに取り付けるための取付ブラケットと、
を有し、
前記センサーは、正面視にて、略四角形の外郭形状を有しており、
前記取付ブラケットは、正面視にて、略四角形の外郭形状を有している
ことを特徴とする。
【手続補正５】
【補正対象書類名】明細書
【補正対象項目名】０００７
【補正方法】変更
【補正の内容】
【０００７】
請求項２に記載の発明は、請求項１に記載の乗員検知センサーにおいて、
前記取付ブラケットには、前記シートに前記取付ブラケットを取り付けるための係止孔が複数設けられており、
前記センサーは、前記係止孔に重なるように配置されている
ことを特徴とする。
【手続補正６】
【補正対象書類名】明細書
【補正対象項目名】０００８
【補正方法】変更
【補正の内容】
【０００８】
請求項３に記載の発明は、請求項２に記載の乗員検知センサーにおいて、
前記係止孔は、前記取付ブラケットの略四角形の外郭形状における対向する辺の各々に沿って設けられている
ことを特徴とする。
【手続補正７】
【補正対象書類名】明細書
【補正対象項目名】０００９
【補正方法】変更
【補正の内容】
【０００９】
請求項４に記載の発明は、請求項２又は３に記載の乗員検知センサーにおいて、
前記複数の係止孔の間には、内側に向かって凹む切り欠きが設けられている
ことを特徴とする。
【手続補正８】
【補正対象書類名】明細書
【補正対象項目名】００１０
【補正方法】変更
【補正の内容】
【００１０】
請求項５に記載の発明は、請求項４に記載の乗員検知センサーにおいて、
前記センサーは、前記切り欠きに重なるように配置されている
ことを特徴とする。
【手続補正９】
【補正対象書類名】明細書
【補正対象項目名】００１１
【補正方法】変更
【補正の内容】
【００１１】
請求項６に記載の発明は、請求項１から５のいずれか一項に記載の乗員検知センサーにおいて、
前記センサーの略四角形の外郭形状の一辺を構成している側面側には、ハーネスが接続されている
ことを特徴とする。
【手続補正１０】
【補正対象書類名】明細書
【補正対象項目名】００１２
【補正方法】変更
【補正の内容】
【００１２】
請求項７に記載の発明は、請求項６に記載の乗員検知センサーにおいて、
前記取付ブラケットには、前記シートに前記取付ブラケットを取り付けるための係止孔が複数設けられており、
前記ハーネスは、前記取付ブラケットの略四角形の外郭形状のうち、前記係止孔が設けられていない辺側に向かって伸長している
ことを特徴とする。
【手続補正１１】
【補正対象書類名】明細書
【補正対象項目名】００１３
【補正方法】変更
【補正の内容】
【００１３】
請求項８に記載の発明は、請求項６又は７に記載の乗員検知センサーにおいて、
前記取付ブラケットの略四角形の外郭形状のうち、前記ハーネスが伸長していている側及びそれと反対の辺には、下方に折れ曲がった屈曲部が設けられている
ことを特徴とする。
【手続補正１２】
【補正対象書類名】明細書
【補正対象項目名】００１４
【補正方法】変更
【補正の内容】
【００１４】
請求項９に記載の発明は、請求項８に記載の乗員検知センサーにおいて、
前記屈曲部には、前記屈曲部の端部から側方に突出するブラケット側係合部が設けられている
ことを特徴とする。
【手続補正１３】
【補正対象書類名】明細書
【補正対象項目名】００１５
【補正方法】変更
【補正の内容】
【００１５】
請求項１０に記載の発明は、
シートバックと、前記シートバックと連結したシートクッションと、を有する車両用シートであって、
前記シートバック及びシートクッションは、内部に充填されたパッドと、前記パッドを覆う表皮と、から構成されており、
前記シートクッションには、前記パッドが載置される受圧部材が設けられており、
前記受圧部材上には、請求項１から９のいずれか一項に記載の乗員検知センサーが取り付けられている
ことを特徴とする。
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】変更
【補正の内容】
【００２１】
請求項１〜５に記載の発明によれば、取付ブラケットを凹部に取り付けやすくなるとともに、係合部により取付ブラケットの位置決めがしやすくなり、取付ブラケットが前後方向や左右方向等に位置ずれしにくくなる。
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】変更
【補正の内容】
【００２５】
請求項６〜９に記載の発明によれば、シートが振動してもガイド部に支持されたハーネスはセンサーに対して相対的に振動しにくくなり、ハーネスが損傷したり断線したりしにくくなる。
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００３１
【補正方法】削除
【補正の内容】
【手続補正３０】
【補正対象書類名】明細書
【補正対象項目名】００３２
【補正方法】削除
【補正の内容】
【手続補正３１】
【補正対象書類名】明細書
【補正対象項目名】００３３
【補正方法】削除
【補正の内容】
【手続補正３２】
【補正対象書類名】特許請求の範囲
【補正対象項目名】全文
【補正方法】変更
【補正の内容】
【特許請求の範囲】
【請求項１】
乗員の荷重がかかったことを検知するためのセンサーと、
前記センサーをシートに取り付けるための取付ブラケットと、
を有し、
前記センサーは、正面視にて、略四角形の外郭形状を有しており、
前記取付ブラケットは、正面視にて、略四角形の外郭形状を有している
ことを特徴とする乗員検知センサー。
【請求項２】
前記取付ブラケットには、前記シートに前記取付ブラケットを取り付けるための係止孔が複数設けられており、
前記センサーは、前記係止孔に重なるように配置されている
ことを特徴とする請求項１に記載の乗員検知センサー。
【請求項３】
前記係止孔は、前記取付ブラケットの略四角形の外郭形状における対向する辺の各々に沿って設けられている
ことを特徴とする請求項２に記載の乗員検知センサー。
【請求項４】
前記複数の係止孔の間には、内側に向かって凹む切り欠きが設けられている
ことを特徴とする請求項２又は３に記載の乗員検知センサー。
【請求項５】
前記センサーは、前記切り欠きに重なるように配置されている
ことを特徴とする請求項４に記載の乗員検知センサー。
【請求項６】
前記センサーの略四角形の外郭形状の一辺を構成している側面側には、ハーネスが接続されている
ことを特徴とする請求項１から５のいずれか一項に記載の乗員検知センサー。
【請求項７】
前記取付ブラケットには、前記シートに前記取付ブラケットを取り付けるための係止孔が複数設けられており、
前記ハーネスは、前記取付ブラケットの略四角形の外郭形状のうち、前記係止孔が設けられていない辺側に向かって伸長している
ことを特徴とする請求項６に記載の乗員検知センサー。
【請求項８】
前記取付ブラケットの略四角形の外郭形状のうち、前記ハーネスが伸長していている側及びそれと反対の辺には、下方に折れ曲がった屈曲部が設けられている
ことを特徴とする請求項６又は７に記載の乗員検知センサー。
【請求項９】
前記屈曲部には、前記屈曲部の端部から側方に突出するブラケット側係合部が設けられている
ことを特徴とする請求項８に記載の乗員検知センサー。
【請求項１０】
シートバックと、前記シートバックと連結したシートクッションと、を有する車両用シートであって、
前記シートバック及びシートクッションは、内部に充填されたパッドと、前記パッドを覆う表皮と、から構成されており、
前記シートクッションには、前記パッドが載置される受圧部材が設けられており、
前記受圧部材上には、請求項１から９のいずれか一項に記載の乗員検知センサーが取り付けられている
ことを特徴とする車両用シート。